(57)【要約】【課題】  コーンナット式のアンカーボルトについて、第２種てこの原理を用いて簡易な構成で容易にアンカーボルトのスリーブを引き抜きが可能であるアンカーボルト引き抜き具を提供すること。【解決手段】  一端側に、使用者が把持可能で力点となるレバー部２ａを有する棒状体２と、支点となる棒状体２の他端側において、回動可能に棒状体２に軸支された第１の腕部３と、力点と支点との間において、棒状体２に第１の腕部３と同方向に回動可能に軸支された作用点となる第２の腕部６とを備え、第１の腕部３の開放端には、ベース３０に接する接面部３ｂを有し、第２の腕部６の開放端には、スリーブ５３に備えられた対向する２つのスリット５３ａにスリーブ５３の内部側から係合可能な２つの係合突部６ｄが配される。【選択図】図４
2014128838.tif 000002
【特許請求の範囲】
【請求項１】
設置されたコーンナット式のアンカーボルトのスリーブをベースから引き抜くアンカーボルト引き抜き具であって、
前記アンカーボルト引き抜き具は、一端側に、使用者が把持可能で力点となるレバー部を有する棒状体と、
支点となる前記棒状体の他端側において、回動可能に前記棒状体に軸支された第１の腕部と、
前記力点と前記支点との間において、前記棒状体に前記第１の腕部と同方向に回動可能に軸支された作用点となる第２の腕部とを備え、
前記第１の腕部の開放端には、ベースに接する接面部を有し、
前記第２の腕部の開放端には、前記スリーブに備えられた対向する２つのスリットに前記スリーブの内部側から係合可能な２つの係合突部が配されたことを特徴とするアンカーボルト引き抜き具。
【請求項２】
前記アンカーボルトは、当該アンカーボルトの取付孔の底部側が開放されて前記取付孔の開口部側に向かって切り欠かれたスリットが複数形成されたスリーブを有し、前記スリットで区切られた複数の拡張部を外側に拡張してベースに食い込ませることによって固定するものであることを特徴とする請求項１に記載のアンカーボルト引き抜き具。
【請求項３】
前記２つの係合突部は、互いの距離を変更可能に構成されて、変更された位置において固定可能であることを特徴とする請求項１又は請求項２に記載のアンカーボルト引き抜き具。
【請求項４】
前記２つの係合突部は、互いの間に弾性体が介されて、絶えず互いの距離を引き離す方向に付勢されていることを特徴とする請求項１乃至請求項３のうち、いずれか１に記載のアンカーボルト引き抜き具。
【請求項５】
前記第２の腕部の開放端には、前記２つの係合突部をスリーブ内へと導く、先窄まり状のガイド部が形成されていることを特徴とする請求項１乃至請求項４のうち、いずれか１に記載のアンカーボルト引き抜き具。
【発明の詳細な説明】
【技術分野】
【０００１】
本発明は、ベースに設置されたコーンナット式アンカーボルトを容易に回収することが可能なアンカーボルト引き抜き具に関する。
【背景技術】
【０００２】
木材・鋼材といった構造部材又は設備機器等の重量物を固定するために、コンクリートに埋め込んで使用するアンカーボルトが一般に使用されている。これによって、引張りや、せん断に抵抗して、コンクリートに取り付けられた構造部材や設備機器が、分離・浮遊・移動・転倒することが防止される。
【０００３】
あと施工アンカーボルトとしては従来から金属系アンカーボルト、接着系アンカーボルト、その他のアンカーボルト類というように種々の構造のものが存在し、その中の金属系アンカーにおいては、一般的に金属拡張アンカーボルトが知られている。
【０００４】
金属拡張アンカーボルトは、拡張部を有するスリーブとこれに内挿されて上記の拡張部を拡張させるための拡張子とから構成されて、アンカーボルトをコンクリートのベースの取付孔に挿入した上で拡張子又はスリーブそのものを打ち込む等して両者の相対変位により拡張部を拡張させて、スリーブをアンカーとしてコンクリート等に固定している。
【０００５】
金属拡張アンカーボルトの１つにコーンナット式アンカーボルトが存在する。図７及び図８にその構成及び設置工程を示す。
【０００６】
［コーンナット式アンカーボルト］の構成概要
図７は、コーンナット式アンカーボルトの説明図であって、（ａ）は正面図であり、（ｂ）は、中央縦断面図であり、（ｃ）は分解斜視図である。図８は、図７のコーンナット式アンカーボルトの設置工程説明図であり、（ａ）は、ベースに取付孔を開設した状態であり、（ｂ）は、アンカーボルトを取付孔に挿入した状態、（ｃ）は、ブラケットを取り付けた状態であり、（ｄ）は、アンカーボルトを設置した状態である。
【０００７】
図７（ｃ）に示すように、コーンナット式のアンカーボルト５０は、ボルト５１とワッシャー５２、スリーブ５３、コーンナット５５からなる。
【０００８】
スリーブ５３は、円筒状に構成されて、一端側から他端側に向かって切り欠かれたスリット５３ａが複数設けられており、そのスリット５３ａの少なくとも２つはスリーブ５３の内部空間を介して互いに対向する位置に配されているのが通常であり、隣り合うスリット５３ａとの間が、拡張することによってベースに食い込んでアンカー効果を奏する拡張部５３ｂとなる。
【０００９】
また、コーンナット５５は、円錐台状の筒体であって、筒体の内部に雌螺旋部５５ａが形成されており、円錐台の外側部分は、スリット５３ａに対応して、円錐台の軸方向に沿うように少なくとも２つ対向した位置に線状突部５５ｂが配されている。
【００１０】
そのため、図７（ａ）及び（ｂ）に示すように、アンカーボルト５０は、ワッシャー５２及びスリーブ５３にボルト５１の雄螺旋部５１が挿通されて、コーンナット５５の雌螺旋部５５ａに螺合する。その場合、コーンナット５５の線状突部５５ｂは、スリーブ５３のスリット５３ａ内に収まるように配される。
【００１１】
そのため、同図（ａ）及び（ｂ）の状態において、ボルト５１を締結すると、コーンナット５５の線状突部５５ｂがスリット５３ａに収められていることから、コーンナット５５の回転が規制され、コーンナット５５がスリーブ５３の内部に向けて引き寄せられて、その結果、拡張部５３ｂが外側に拡張する。
【００１２】
［コーンナット式アンカーボルト］の使用方法
コーンナット式アンカーボルトの使用方法を説明するに、最初に図８の（ａ）に示すように床面、壁面等のようなコンクリート等によって構成されたベース３０にドリル３５等の穿孔機を利用して、取付孔３１を開設し、切粉を除去しておく。
【００１３】
次に、同図（ｂ）に示すように、アンカーボルト５０を取付孔３１にハンマー３６等で軽くたたいて挿入する。次に、同図（ｃ）に示すように、ブラケット等の取付具３３をワッシャー５２とベース３０との間に介した後に、ラチェットレンチ３７により、ボルト５１を所定のトルク値で締め付ける。
【００１４】
そうすると、同図（ｄ）に示すように、ボルト５１の締結により、コーンナット５５の線状突部５５ｂがスリット５３ａに収められていることから、コーンナット５５の回転が規制され、コーンナット５５がスリーブ５３の内部に向けて引き寄せられて、その結果、拡張部５３ｂが外側に拡張し（図中矢印で示す）、ベース３０に食い込むことによって、アンカー効果が奏され、アンカーボルト５０がベース３０内に固定される。以上により、アンカーボルト５０の設置が終了する。
【００１５】
［コーンナット式アンカーボルト］の回収方法
アンカーボルトによって固定する構造部材又は設備機器等の使用が終了し、アンカーボルトが不要になった場合、現状、アンカーボルトの周囲のベースをドリル等により破壊して、アンカーボルトを回収している。
また、特許文献１に示すように、アンカーボルトの抜き取り装置として、アンカーボルトの頭部周囲に位置してベースに設置され、ハンドルを回転させることにより、ねじ棒をアンカーボルトの軸方向に変位させる送りねじ機構と、送りねじ機構のねじ棒先端側にスラストと受け部を介して回転可能に設けられ、アンカーボルトの頭部に螺着されるアタッチメントからなる装置が開示されている。
【先行技術文献】
【特許文献】
【００１６】
【特許文献１】実開平６−２０７６６
【発明の概要】
【発明が解決しようとする課題】
【００１７】
上述のように、従来においては、アンカーボルトが不要になった場合、アンカーボルトの周囲のベースをドリル等により破壊してアンカーボルトを回収しているため、アンカーボルトの周囲に大きく穴が空いてしまい、美感が損なわれているのが現状である。また、コンクリートの破壊を行うことから、その労力が大きい。そのため、アンカーボルトの回収自体をあきらめてしまい、現状回復が困難であった。
【００１８】
一方、特許文献１に示すアンカーボルトの抜き取り装置によっては、装置が比較的に大がかりなものになるばかりか、ハンドルの回転によりアンカーボルトの引き抜きをおこなうことから、回収に何回転もハンドルを回す必要があり、その労力及び工数が非常に大きかった。
【００１９】
また、コーンナット式のアンカーボルトについては、コーンナットの雌螺旋部を利用して、コーンナットにボルト等の雄螺旋を螺合させて、そのボルト等を引っ張ることによりアンカーボルトを回収することも考えられるが、コーンナット式のアンカーボルトは、コーンナットを引っ張れば引っ張るほど、スリーブの拡張部が拡張してしまうため、さらにアンカー効果が発揮されてしまい、余計にアンカーボルトの回収が困難となってしまう。
【００２０】
このため、アンカーボルト、特にコーンナット式のアンカーボルトについて、周囲の破壊を行わずに美感を保ったまま、簡易な装置で容易にアンカーボルトを回収可能とすることが求められている。
【００２１】
そこで本発明は、コーンナット式のアンカーボルトについて、第２種てこの原理を用いて簡易な構成で容易にアンカーボルトのスリーブを引き抜きが可能であるアンカーボルト引き抜き具を提供することを目的とする。
【課題を解決するための手段】
【００２２】
上記目標達成のため、本発明のアンカーボルト引き抜き具は、設置されたコーンナット式のアンカーボルトのスリーブをベースから引き抜くアンカーボルト引き抜き具であって、前記アンカーボルト引き抜き具は、一端側に、使用者が把持可能で力点となるレバー部を有する棒状体と、支点となる前記棒状体の他端側において、回動可能に前記棒状体に軸支された第１の腕部と、前記力点と前記支点との間において、前記棒状体に前記第１の腕部と同方向に回動可能に軸支された作用点となる第２の腕部とを備え、前記第１の腕部の開放端には、ベースに接する接面部を有し、前記第２の腕部の開放端には、前記スリーブに備えられた対向する２つのスリットに前記スリーブの内部側から係合可能な２つの係合突部が配されたことを特徴とする。
【００２３】
また、本発明のアンカーボルト引き抜き具における前記アンカーボルトは、当該アンカーボルトの取付孔の底部側が開放されて前記取付孔の開口部側に向かって切り欠かれたスリットが複数形成されたスリーブを有し、前記スリットで区切られた複数の拡張部を外側に拡張してベースに食い込ませることによって固定するものであることを特徴とする。
【００２４】
また、本発明のアンカーボルト引き抜き具における前記２つの係合突部は、互いの距離を変更可能に構成されて、変更された位置において固定可能であることを特徴とする。
【００２５】
また、本発明のアンカーボルト引き抜き具における前記２つの係合突部は、互いの間に弾性体が介されて、絶えず互いの距離を引き離す方向に付勢されていることを特徴とする。
【００２６】
また、本発明のアンカーボルト引き抜き具における前記第２の腕部の開放端には、前記２つの係合突部をスリーブ内へと導く、先窄まり状のガイド部が形成されていることを特徴とする。
【発明の効果】
【００２７】
本発明のアンカーボルト引き抜き具によれば、スリーブの内部から係合突部を利用してアンカーボルトのスリーブを回収するため、ベースに設置されたアンカーボルトの周囲をコンクリートドリルなどで削り取る等して破壊することなく、容易にアンカーボルトの回収が可能である。
【００２８】
また、本発明のアンカーボルト引き抜き具によれば、てこの原理を利用してアンカーボルトのスリーブを回収するため、少ない力で容易にアンカーボルトの回収が可能である。
【００２９】
また、本発明のアンカーボルト引き抜き具によれば、アンカーボルト引き抜き具の係合突部をスリーブのスリットに係合させた後は、レバーを引き上げるのみでスリーブが回収が可能であり、非常に簡素な工程でのスリーブの回収が可能である。
【００３０】
また、本発明のアンカーボルト引き抜き具によれば、アンカーボルトの周囲のベースを破壊することなく、回収可能であることから、美感を汚すことない。
【００３１】
また、本発明のアンカーボルト引き抜き具によれば、２つの係合突部が、互いの間に弾性体が介されて、絶えず互いを距離を離す方向に付勢されているため、スリーブの中に係合突部を入れて、スリーブのスリット部分に係合突部を移動させれば、係合突部に対する付勢により自動でスリット部分で２つの係合突部が離間し、そのままレバー部を持ち上げれば、係合突部とスリットの始端部が係合して、容易にアンカーボルトのスリーブの回収が可能である。
【００３２】
また、本発明のアンカーボルト引き抜き具によれば、第２の腕部の開放端に、２つの係合突部をスリーブ内へと導く、先窄まり状のガイド部が形成されていることから、ガイド部に沿って第２の腕部を容易にスリーブ内へと挿入可能である。
【００３３】
その場合、さらに、２つの係合突部の間に弾性体が介されている構成の場合は、スリーブのスリット部分に係合突部を移動させて、そのままレバー部を持ち上げれば、係合突部とスリットの始端部が係合して、容易にアンカーボルトのスリーブの回収が可能であることから、非常に簡素な工程でアンカーボルトの回収が可能である。
【図面の簡単な説明】
【００３４】
【図１】本発明の第１実施形態に係るアンカーボルト引き抜き具について、（ａ）は、第２の腕部の拡開部を閉じた状態の斜視図を示し、（ｂ）は、第２の腕部の拡開部を開いた状態の斜視図である。
【図２】図１（ｂ）の第１の腕部及び第２の腕部の拡大図であり、同図から締結体を取り外した状態を示す。
【図３】図８（ｄ）の後、アンカーボルトの引き抜き工程図であり、（ａ）は、ボルトを利用してコーンナットを落とそうとする状態であり、（ｂ）は、（ａ）の結果、コーンナットが落ちた状態である。
【図４】図３（ｂ）の後、アンカーボルト引き抜き具をスリーブ内に挿入した説明図である。
【図５】図４の状態から第２の腕部の拡開部を開いた状態を示す説明図である。
【図６】本発明の第２実施形態に係るアンカーボルト引き抜き具の第１の腕部及び第２の腕部の拡大斜視図である。
【図７】コーンナット式アンカーボルトの説明図であって、（ａ）は正面図であり、（ｂ）は、中央縦断面図であり、（ｃ）は分解斜視図である。
【図８】図７のコーンナット式アンカーボルトの設置工程説明図であり、（ａ）は、ベースに取付孔を開設した状態であり、（ｂ）は、アンカーボルトを取付孔に挿入した状態、（ｃ）は、ブラケットを取り付けた状態であり、（ｄ）は、アンカーボルトを設置した状態である。
【発明を実施するための形態】
【００３５】
以下図面を参照して、本発明によるアンカーボルト引き抜き具を実施するための形態について説明する。
【００３６】
［Ａ］第１実施形態（図１乃至図５）
本発明の第１実施形態に係るアンカーボルト引き抜き具について、図１乃至図５を用いて説明する。図１は、本発明の第１実施形態に係るアンカーボルト引き抜き具について、（ａ）は、第２の腕部の拡開部を閉じた状態の斜視図を示し、（ｂ）は、第２の腕部の拡開部を開いた状態の斜視図である。図２は、図１（ｂ）の第１の腕部及び第２の腕部の拡大図であり、同図から締結体を取り外した状態を示す。図３は、図８（ｄ）の後、アンカーボルトの引き抜き工程図であり、（ａ）は、ボルトを利用してコーンナットを落とそうとする状態であり、（ｂ）は、（ａ）の結果、コーンナットが落ちた状態である。図４は、図３（ｂ）の後、アンカーボルト引き抜き具をスリーブ内に挿入した説明図である。図５は、図４の状態から第２の腕部の拡開部を開いた状態を示す説明図である。
【００３７】
［アンカーボルト引き抜き具の構成］
まず、本発明の第１実施形態に係るアンカーボルト引き抜き具の構成を図１及び図２を用いて説明する。アンカーボルト引き抜き具１は、棒状体２、第１の腕部３と第２の腕部６から構成されている。
【００３８】
即ち、アンカーボルト引き抜き具１は、その一端側に使用者が把持可能なレバー部２ａを有する棒状体２と、棒状体２の他端側において回動可能に棒状体２に軸支された第１の腕部３と、レバー部２ａと第１の腕部３との間の位置において、棒状体２に第１の腕部３と同方向に回動可能に軸支された第２の腕部６とから大きく構成されている。
【００３９】
本発明のアンカーボルト引き抜き具は、第２種てこの原理を利用してコーンナット式のアンカーボルトを引き抜くことから、棒状体２のレバー部２が力点となり、第１の腕部３が支点となり、第２の腕部６が作用点となってアンカーボルト５０の引き抜き動作を行う。
【００４０】
この第２種てこの原理は、支点、作用点、力点の３つの点が一直線上に並び、作用点が支点と力点との間に位置するてこであり、力点に加えた小さい上向きの力は、作用点で大きな上向きの力となり、力点が支点に近づくほどその効果が増大する。
【００４１】
本発明においては、この第２種てこの原理を用いることにより、レバー部２ａをベース３０とは反対側に持ち上げればよいことから、レバー部２ａを把持する使用者の指がベース３０に激突することなしに、安全にアンカーボルト５０の引き抜きが可能である。
【００４２】
［棒状体の構成］
棒状体２は、棒状に構成されて、一端側が使用者が把持可能なレバー部２となり、他端側には、支点となる第１の腕部３を連結するための切欠部２ｂが形成されている。切欠部２ｂは、棒状体２の他端側から一端側に向かって切り欠かれて形成されている。切欠部２ｂに対しては、切欠部２ｂを横断するように配されて、第１の腕部３を軸支する支軸５が配され、支軸５を介して第１の腕部３が回動自在に連結される。
【００４３】
また、棒状体２においては、レバー部２ａと第１の腕部３との間の位置において、力点となる第２の腕部６を連結するための貫通穴２ｃが形成されている。貫通穴２ｃは、棒状体２の軸方向に直交するように形成され、この貫通方向は、切欠部２ｂと同じ方向性となる。貫通穴２ｃに対しては、貫通穴２ｃを横断するように配されて、第２の腕部６を軸支する支軸７が配され、支軸７を介して第２の腕部６が回動自在に連結される。
【００４４】
第２種てこの原理は、力点に加えた小さい上向きの力が、作用点で大きな上向きの力となり、力点が支点に近づくほどその効果が増大することから、この貫通穴２ｃの位置は、棒状体２における第１の腕部３よりの位置となる。
【００４５】
［第１の腕部の構成］
第１の腕部３は、支点となるべく、支軸５を介して棒状体２に回動可能に連結された腕状に延びた腕体部３ａと、開放端に設けられて、ベース３０に接する接面部３ｂを有している。
【００４６】
接面部３ｂは、腕体部３ａの開放端に対して垂直の関係で配される板状体であって、面でベース３０に接触することによって、ベース３０にかかる力を低減して、ベース３０の傷付きを防止するとともに、面でベース３０に接触することにより、安定した状態でのスリーブ５３の回収を可能とするものである。
【００４７】
［第２の腕部の構成］
第２の腕部６は、作用点となるべく、支軸７を介して棒状体２に回動可能に連結された各々が長尺の棹状に構成された第１の棹体部６ａと第２の棹体部６ｂとから構成されて、鋏状の形状をなしている。
【００４８】
即ち、第１の棹体部６ａと第２の棹体部６ｂとは、鋏のようにお互いに重ね合わされ、支軸７によって互いに回動可能に連結されて、各々が第１の腕部３と同じ方向にその棹状体を伸ばしており、棹状体の先端部側においては、棹状体が互いに折曲部６ｅを介して、細幅となっている（細幅部６ａ３，細幅部６ｂ３）。細幅部６ａ３，細幅部６ｂ３は、折曲部６ｅにおいて、互いの細幅部６ａ３，６ｂ３が隣接可能なように、ともに他方の細幅部６ａ３，６ｂ３側にわずかに折り曲げられている。
【００４９】
そのため、図１（ａ）に示すように、細幅部６ａ３，６ｂ３の両者は、同一平面となって互いが隣接している。
【００５０】
第２の腕部６の開放端となる細幅部の先端部近傍においては、各々がアンカーボルト５０のスリット５３ａへの係合を担う係合突部６ｄが互いに反対方向を向いて配されている。互いに反対方向を向いて係合突部６ｄが配されることによって、スリーブ５３の対抗する２つのスリット５３ａへの係合を可能とするものである。さらにスリット５３ａへの係合を確実に行うため、係合突部６ｄは、互いに棒状体２側に係合部分が少々向いて構成されている。
【００５１】
また、第２の腕部６の係合突部６ｄは、スリーブ５３のスリット５３ａに係合するため、第１の腕部３よりも棒状体２から離れた位置に配される必要がある。
【００５２】
一方、第１の棹体部６ａ及び第２の棹体部６ｂについて、第１の腕部３の伸びる方向とは逆方向には、鋏のハンドルのように幅広部６ａ１，６ｂ１が、第１の棹体部６ａ及び第２の棹体部６ｂの各々に設けられている。
【００５３】
第１の棹体部６ａの幅広部６ａ１の中央には、棒状体２の伸びる方向に沿うように長円形状の貫通孔６ａ２が設けられている。一方、第２の棹体部６ｂの幅広部６ｂ１の中央には、幅広部６ｂ１に立設された雄螺子部６ｂ２が設けられて、第１の棹体部６ａの貫通孔６ａ２に挿通されて、貫通孔６ａ２を介して雄螺子部６ｂ２が頭を出している。
【００５４】
雄螺子部６ｂ２に対しては、締結体８を螺合して、第１の棹体部６ａと第２の棹体部６ｂとの位置を固定可能となっている。即ち、締結体８は、外観が円柱状に構成され、その一端の中央に雌螺子部８ａが設けられて、第２の棹体部６ｂの雄螺子部６ｂ２を螺合可能であり、締結体８を回転させて雄螺子部６ｂ２に螺合することによって、第１の棹体部６ａと第２の棹体部６ｂとを圧着させて互いの固定を行う。
【００５５】
これによって、図２に示す、細幅部６ａ３，６ｂ３の両者が離間した状態（図１（ｂ）も同様）や、図１（ａ）の如く、閉じた状態で第１の棹体部６ａ及び第２の棹体部６ｂの位置を固定可能となり、２つの係合突部６ｄは、互いの距離を変更可能であり、変更された位置において固定可能となる。
【００５６】
［アンカーボルト引き抜き具の使用方法］
次に、本発明の第１実施形態に係るアンカーボルト引き抜き具の使用方法を図３乃至図５、図８（ｄ）を用いて説明する。
【００５７】
まず、アンカーボルト引き抜き具を用いる前に、図８（ｄ）に示す設置済みのアンカーボルト５０から取付具３３及びボルト５１をレンチ等により取り外す。
【００５８】
これによって、図３（ａ）に示すスリーブ５３及びコーンナット５５のみの状態となる。その場合、スリーブ５３においては、取付孔３１の底部３１ｂ側にコーンナット５５が嵌合したままの状態であり、コーンナット５５の嵌合によって、スリーブ５３の拡張部５３ｂが拡張したままの状態となる。
【００５９】
次に、同図に示すように、ボルト３９の雄螺旋部を、コーンナット５５に少々螺合させ、ボルト３９と一体となったコーンナット５５を取付孔３１の底部３１ｂにたたき落とす。
【００６０】
即ち、ボルト３９の雄螺子部を取付孔３１の開口部３１ａ側からスリーブ５３内へと挿入し、スリーブ５３に嵌合しているコーンナット５５の雌螺旋部５５ａ（図７（ｃ））に、例えば、螺旋山２、３個分というようにボルト３９の雄螺旋部を少々螺合させ、ハンマー３６によりボルト３９の頭部を叩くことにより、ボルト３９と一体となっているコーンナット５５を取付孔３１の底部３１ｂにたたき落とす。
【００６１】
その後、ボルト３９を回転させて、コーンナット５５との螺合を解除して、ボルト３９を取付孔３１から回収する。
【００６２】
ボルト３９により、コーンナット５５を取付孔３１の底部３１ｂにたたき落とした結果、図３（ｂ）の状態となり、スリーブ５３とコーンナット５５の嵌合状態が解除され、スリーブ５３の拡張部５３ｂの拡張をスリーブ５３内部から支持するものがなくなる。
【００６３】
次に、図４に示すように、アンカーボルト引き抜き具１を取付孔３１の開口部３１ａを介してスリーブ５３内に挿入する。この場合、第２の腕部６については、第１の棹体部６ａと第２の棹体部６ｂとの各々の細幅部６ａ３，細幅部６ｂ３が隣接して閉じられた状態に締結体８により固定され、その状態でスリーブ５３内に挿入される。
【００６４】
第２の腕部６の係合突部６ｄは、スリーブ５３における対向する２つのスリット５３ａに係合するようにその方向性を調整し、スリット５３ａの始端部５３ａ１よりも係合突部６ｄの位置が下方（取付孔３１の底部３１ｂ側）となった状態で、図５に示すように、互いに反対方向を向く係合突部６ｄを開いた状態とする。
【００６５】
即ち、第２の腕部６について、締結体８による第１の棹体部６ａと第２の棹体部６ｂとの固定を解除し、各々の細幅部６ａ３，細幅部６ｂ３が離間して開いた状態に調整し、締結体８により、再度離間状態で固定し、スリーブ５３の対向する２つのスリット５３ａの始端部５３ａ１に対して、２つの係合突部６ｄが係合した状態とする。
【００６６】
その後、レバー部２ａを矢印で示すように上方に持ち上げることにより、スリーブ５３の回収を行うことが可能である。即ち、レバー部２ａを上方に持ち上げることにより、第２種てこの原理によって、係合突部６ｄとスリット５３ａの始端部５３ａ１の係合を介して、容易にかつ簡素な工程でスリーブ５３の回収を行うことが可能である。
【００６７】
この場合、コーンナット５５が、取付孔３１の底部３１ｂに落ちていることから、スリーブ５３の拡張部５３ｂの拡張をスリーブ５３内部から支持するものがなくなっており、かつ、拡張部５３は底部３１ｂ側に対して漸次拡幅しているものであるため、スリーブ５３の取付孔３１からの回収にあたっては、比較的に障害となりにくい状態となっているため、容易にスリーブ５３の回収が可能である。
【００６８】
その後、スリーブ５３の回収された取付孔３１には、底部３１ｂにコーンナット５５が残された状態であることから、コーンナット５５の雌螺旋部５５ａにボルト３９の雄螺旋部を螺号させて、ボルト３９とともにコーンナット５５を回収する。これによって、アンカーボルト５０の構成物が全て回収される。
【００６９】
［アンカーボルト引き抜き具の効果］
以上説明した、本発明の第１実施形態に係るアンカーボルト引き抜き具１によれば、スリーブ５３ａの内部から係合突部６ｄを利用してアンカーボルト５０を回収するため、ベースに設置されたアンカーボルト５０の周囲をコンクリートドリルなどで削り取る等して破壊することなく、容易にアンカーボルト５０の回収が可能である。
【００７０】
また、本発明の第１実施形態に係るアンカーボルト引き抜き具１によれば、てこの原理を利用してアンカーボルト５０を回収するため、少ない力で容易にアンカーボルト５０の回収が可能である。
【００７１】
また、本発明の第１実施形態に係るアンカーボルト引き抜き具１によれば、アンカーボルト引き抜き具１の係合突部６ｄをスリーブ５３のスリット５３ａに係合させた後は、レバー部２ａを引き上げるのみでスリーブ５３が回収が可能であり、非常に簡素な工程でのスリーブ５３の回収が可能である。
【００７２】
また、本発明の第１実施形態に係るアンカーボルト引き抜き具１によれば、アンカーボルト５０の周囲のベース３０を破壊することなく、回収可能であることから、美感を汚すことない。
【００７３】
［Ｂ］第２実施形態（図６）
本発明の第２実施形態に係るアンカーボルト引き抜き具について、図６を用いて説明する。図６は、本発明の第２実施形態に係るアンカーボルト引き抜き具の第１の腕部及び第２の腕部の拡大斜視図である。この第２実施形態において、第１実施形態と同様な部分は、同一の符号を付してその説明を省略する。
【００７４】
［第２実施形態に係るアンカーボルト引き抜き具］
第２実施形態については、図６に示すように、第１の棹体部６ａと２の棹体部６ｂとの間に付勢機構１２を備えた点、及び、第１の棹体部６ａ及び第２の棹体部６ｂの両者が備える細幅部６ａ３，６ｂ３の先端部に、２つの係合突部６ｄをスリーブ内へと導く、先窄まり状のガイド部１５が形成されている点に置いてのみ第１実施形態と異なる。
【００７５】
即ち、第２実施形態に係るアンカーボルト引き抜き具１１は、第１の棹体部６ａの細幅部６ａ３と２の棹体部６ｂの細幅部６ｂ３との間に、両者を絶えず互いに距離を引き離す方向に付勢する付勢機構１２を備えている。
【００７６】
付勢機構１２は、細幅部６ａ３，６ｂ３の間に配されたスプリング等の弾性体１２ａからなり、弾性体１２は、対向する細幅部６ａ３，６ｂ３の側部において、側部の一部が窪み、窪みの内部に設けられた嵌合突部１２ｂ，１２ｃに対して弾性体１２ａ（スプリング）の端部が嵌合することにより取り付けられている。
【００７７】
また、細幅部６ａ３，６ｂ３の先端部には、２つの係合突部６ｄをスリーブ内へと導く、先窄まり状のガイド部１５が設けられている。ガイド部１５は、細幅部６ａ３，６ｂ３の先端部が各々、互いに近づくように先窄まり状に形成されて（先窄まり部１５ａ）、ガイド部１５を構成している。
【００７８】
２つの先窄まり部１５ａの先端部の距離Ｌ（図６に示す）は、第２の腕部６を開いた状態であっても、スリーブ５３の内部空間の直径よりも小さく構成されている。これによって、２つの先窄まり部１５ａの先端部を取付孔３１の開口部３１ａを介してスリーブ５３の内部空間に収まるように位置決めすれば、そのままガイド部１５を利用して第２の腕部６をスリーブ５３内へと容易に挿入することが可能である。
【００７９】
これにより、本発明のアンカーボルト引き抜き具について、第１実施形態同様の効果を得ることができるのみならず、以下の効果をも得ることが可能である。
【００８０】
即ち、本発明の第２実施形態に係るアンカーボルト引き抜き具１１によれば、２つの係合突部６ｄが、互いの間に弾性体１２ａが介されて、絶えず互いを距離を引き離す方向に付勢されているため、スリーブ５３の中に係合突部６ｄを入れて、スリーブ５３のスリット５３ａ部分に係合突部６ｄを移動させれば、係合突部６ｄに対する付勢により自動でスリット５３ａ部分で２つの係合突部６ｄが離間し、そのままレバー部２ａを持ち上げれば、係合突部６ｄとスリット５３の始端部５３ａ１が係合して、容易にアンカーボルト５０のスリーブ５３の回収が可能である。
【００８１】
また、本発明の第２実施形態に係るアンカーボルト引き抜き具１１によれば、第２の腕部６の開放端に、２つの係合突部６ｄをスリーブ５３内へと導く、先窄まり状のガイド部１５が形成されていることから、ガイド部１５に沿って第２の腕部６を容易にスリーブ５３内へと挿入可能である。
【００８２】
その場合、さらに、スリーブ５３のスリット５３ａ部分に係合突部６ｄを移動させて、そのままレバー部２ａを持ち上げれば、付勢機構１２により、係合突部６ｄとスリット５３ａの始端部５３ａ１が係合して、容易にアンカーボルト５０のスリーブ５３の回収が可能であることから、非常に簡素な工程でアンカーボルト５０の回収が可能である。
【００８３】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００８４】
１        アンカーボルト引き抜き具（第１の実施形態）
２        棒状体
２ａ      レバー部（力点）
２ｂ      切欠部
２ｃ      貫通穴
３        第１の腕部
３ａ      腕体部
３ｂ      接面部
５        支軸
６        第２の腕部
６ａ      第１の棹体部
６ａ１    幅広部
６ａ２    貫通孔
６ａ３    細幅部
６ｂ      第２の棹体部
６ｂ１    幅広部
６ｂ２    雄螺旋部
６ｂ３    細幅部
６ｄ      係合突部
６ｅ      折曲部
７        支軸
８        締結体
８ａ      雌螺旋部
１１      アンカーボルト引き抜き具（第２の実施形態）
１２      付勢機構
１２ａ    弾性体（スプリング）
１２ｂ    嵌合突部
１２ｃ    嵌合突部
１５      ガイド部
１５ａ    先窄まり部
３０      ベース（床面、壁面）
３１      取付孔
３１ａ    開口部
３１ｂ    底部
３３      取付具（ブラケット）
３５      ドリル
３６      ハンマー
３７      ラチェットレンチ
３９      ボルト
５０      アンカーボルト（コーンナット式アンカーボルト）
５１      ボルト
５１ａ    雄螺子部
５２      ワッシャー
５３      スリーブ
５３ａ    スリット
５３ａ１  始端部
５３ｂ    拡張部
５５      コーンナット
５５ａ    雌螺子部
５５ｂ    線状突部
【図１】
2014128838.tif 000003
【図２】
2014128838.tif 000004
【図３】
2014128838.tif 000005
【図４】
2014128838.tif 000006
【図５】
2014128838.tif 000007
【図６】
2014128838.tif 000008
【図７】
2014128838.tif 000009
【図８】
2014128838.tif 000010